(57)【要約】  【課題】  従来より長期にわたってレーザ光源を安定して保持することができる光ヘッド装置を提供する。  【解決手段】  光ヘッド装置は、光記録媒体に照射されるレーザ光を発生するレーザ光源２０と、レーザ光源２０を保持する内径側が環状の環状突起８０を有したフレーム７０とを備え、環状突起８０は、均等な角度で複数の弧状部分８２に分割され、弧状部分８２は、レーザ光源２０が圧入される圧入部８３と、レーザ光源２０を弧状部分８２に接着固定する接着剤が充填される切り欠き部８４とを環状突起８０の内径側に有することを特徴とする。【選択図】  図４
2008192198.tif 000002
【特許請求の範囲】
【請求項１】
光記録媒体に照射されるレーザ光を発生するレーザ光源と、前記レーザ光源を保持する内径側が環状の内径側環状突起を有したフレームとを備え、
前記内径側環状突起は、周方向へ複数の弧状部分に分割され、
前記弧状部分は、前記レーザ光源が圧入される圧入部と、前記レーザ光源を前記弧状部分に接着固定する接着剤が充填される切り欠き部とを前記内径側環状突起の内径側に有し、
前記圧入部と、前記切り欠き部とは、前記レーザ光源の光軸方向に配設されていることを特徴とする光ヘッド装置。
【請求項２】
前記切り欠き部は、前記圧入部より前記内径側環状突起の突出方向側に配置されていることを特徴とする請求項１に記載の光ヘッド装置。
【請求項３】
前記弧状部分は、固まる前の前記接着剤を溜める接着剤溜めを有し、
前記接着剤溜めは、前記切り欠き部に連通していることを特徴とする請求項１又は請求項２に記載の光ヘッド装置。
【請求項４】
前記レーザ光源は、前記圧入部に圧入されるステムを備えたキャンタイプのレーザ光源であって、
前記接着剤溜めは、前記ステムより前記内径側環状突起の突出方向に突出していることを特徴とする請求項３に記載の光ヘッド装置。
【請求項５】
前記切り欠き部は、前記内径側環状突起の周方向における前記弧状部分の全長にわたって配置され、
前記接着剤溜めは、前記内径側環状突起の周方向における前記弧状部分の中央に配置されていることを特徴とする請求項３又は請求項４に記載の光ヘッド装置。
【請求項６】
前記レーザ光源は、前記圧入部に圧入されるステムを備えたキャンタイプのレーザ光源であって、
前記切り欠き部は、前記光軸方向における位置が前記光軸方向における前記ステムの範囲内にあることを特徴とする請求項１に記載の光ヘッド装置。
【請求項７】
前記レーザ光源は、前記圧入部に圧入されるステムを備えたキャンタイプのレーザ光源であって、
前記フレームは、前記ステムの径方向の外周に前記弧状部分のみで接触していることを特徴とする請求項１に記載の光ヘッド装置。
【請求項８】
前記フレームは、前記内径側環状突起の突出方向とは反対方向側から前記レーザ光源に接触する接触部を前記内径側環状突起の内径側に有することを特徴とする請求項１から請求項７までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録媒体の再生や記録を行う光ヘッド装置に関する。
【背景技術】
【０００２】
従来、半導体レーザと、半導体レーザを保持するレーザホルダとを備え、レーザホルダが、半導体レーザの発光方向にテーパ状に拡大する内面を有する円筒部と、円筒部のテーパ状の内面の小径側に配置されて半導体レーザを圧入保持する支持手段とを備え、支持手段が、薄肉の略環状形状であって、スリットによって円周等分に複数の保持部に分割されている光源装置が知られている（例えば、特許文献１参照。）。
【特許文献１】特開平１１−２３１２４１号公報
【発明の開示】
【発明が解決しようとする課題】
【０００３】
しかしながら、従来の光源装置においては、保持部が弾性力のみによって半導体レーザを保持しているので、半導体レーザに外力が加わるなどして半導体レーザが保持部から外れてしまう場合がある。かといって、保持部によって強く挟持させると半導体レーザのステムが変形し、半導体レーザの発光位置が安定しないという問題がある。
【０００４】
本発明は、従来の問題を解決するためになされたもので、従来より長期にわたってレーザ光源を安定して保持することができる光ヘッド装置を提供することを目的とする。
【課題を解決するための手段】
【０００５】
本発明の光ヘッド装置は、光記録媒体に照射されるレーザ光を発生するレーザ光源と、前記レーザ光源を保持する内径側が環状の内径側環状突起を有したフレームとを備え、前記内径側環状突起は、周方向へ複数の弧状部分に分割され、前記弧状部分は、前記レーザ光源が圧入される圧入部と、前記レーザ光源を前記弧状部分に接着固定する接着剤が充填される切り欠き部とを前記内径側環状突起の内径側に有し、前記圧入部と、前記切り欠き部とは、前記レーザ光源の光軸方向に配設されていることを特徴とする。
【０００６】
この構成により、本発明の光ヘッド装置は、弧状部分の圧入部に圧入されたレーザ光源が弧状部分の切り欠き部に接着剤によって接着固定されるので、従来より長期にわたってレーザ光源を安定して保持することができる。
【０００７】
また、本発明の光ヘッド装置の前記切り欠き部は、前記圧入部より前記内径側環状突起の突出方向側に配置されていることを特徴とする。
【０００８】
この構成により、本発明の光ヘッド装置は、内径側環状突起の突出方向側から接着剤を塗布することができるので、内径側環状突起の突出方向とは反対方向側にレーザ光源に近接して光学素子などが配置されている状態であっても容易に接着剤を塗布することができる。
【０００９】
また、本発明の光ヘッド装置の前記弧状部分は、固まる前の前記接着剤を溜める接着剤溜めを有し、前記接着剤溜めは、前記切り欠き部に連通していることを特徴とする。
【００１０】
この構成により、本発明の光ヘッド装置は、切り欠き部に充填される接着剤が接着剤溜めに塗布されるので、切り欠き部に接着剤が直接塗布される場合と比較して、複数の製品間における接着剤の塗布状態の均一性を向上することができる。
【００１１】
また、本発明の光ヘッド装置の前記レーザ光源は、前記圧入部に圧入されるステムを備えたキャンタイプのレーザ光源であって、前記接着剤溜めは、前記ステムより前記内径側環状突起の突出方向に突出していることを特徴とする。
【００１２】
この構成により、本発明の光ヘッド装置は、接着剤溜めがレーザ光源のステムより内径側環状突起の突出方向に突出していない構成と比較して、内径側環状突起の突出方向における圧入部及び切り欠き部の少なくとも一方の距離を長くすることができるので、内径側環状突起によるレーザ光源の保持力を向上することができる。
【００１３】
また、本発明の光ヘッド装置の前記切り欠き部は、前記内径側環状突起の周方向における前記弧状部分の全長にわたって配置され、前記接着剤溜めは、前記内径側環状突起の周方向における前記弧状部分の中央に配置されていることを特徴とする。
【００１４】
この構成により、本発明の光ヘッド装置は、接着剤溜めが内径側環状突起の周方向における弧状部分の中央からずれて配置されている構成と比較して、切り欠き部における接着剤の塗布状態の均一性を向上することができるので、複数の弧状部分によってレーザ光源を均等に保持することができる。したがって、本発明の光ヘッド装置は、複数の弧状部分によってレーザ光源が均等に保持されないことによって起こるレーザ光源の光軸のずれを減らすことができる。
【００１５】
また、本発明の光ヘッド装置の前記レーザ光源は、前記圧入部に圧入されるステムを備えたキャンタイプのレーザ光源であって、前記切り欠き部は、前記光軸方向における位置が前記光軸方向における前記ステムの範囲内にあることを特徴とする。
【００１６】
この構成により、本発明の光ヘッド装置は、フレームの弧状部分の切り欠き部と、レーザ光源のステムの径方向の外周との間に接着剤が入るので、レーザ光源の光軸方向におけるステムの端面に接着剤がはみ出すことを抑えることができる。
【００１７】
また、本発明の光ヘッド装置の前記レーザ光源は、前記圧入部に圧入されるステムを備えたキャンタイプのレーザ光源であって、前記フレームは、前記ステムの径方向の外周に前記弧状部分のみで接触していることを特徴とする。
【００１８】
この構成により、本発明の光ヘッド装置は、弾性のある弧状部分のみでフレームがステムの径方向の外周に接触するので、ステムの径方向の外周にフレームが弧状部分以外の箇所でも接触している構成と比較して、ステムの圧入作業が容易になる。しかも、ステムの変形を抑制することができるので、レーザ光源の発光位置も安定する。
【００１９】
また、本発明の光ヘッド装置の前記フレームは、前記内径側環状突起の突出方向とは反対方向側から前記レーザ光源に接触する接触部を前記内径側環状突起の内径側に有することを特徴とする。
【００２０】
この構成により、本発明の光ヘッド装置は、接触部を有していない構成と比較して、内径側環状突起に対してレーザ光源が傾くことを抑えることができるので、複数の弧状部分によってレーザ光源を均等に保持することができる。したがって、本発明の光ヘッド装置は、複数の弧状部分によってレーザ光源が均等に保持されないことによって起こるレーザ光源の光軸のずれを減らすことができる。
【発明の効果】
【００２１】
本発明によれば、従来より長期にわたってレーザ光源を安定して保持することができる光ヘッド装置を提供することができる。
【発明を実施するための最良の形態】
【００２２】
以下、本発明の一実施の形態について、図面を用いて説明する。
【００２３】
まず、本実施の形態に係る光ヘッド装置の構成について説明する。
【００２４】
図１に示すように、本実施の形態に係る光ヘッド装置１０は、ＣＤやＤＶＤなどの図示していない光記録媒体に照射されるレーザ光を発生するレーザ光源２０、３０と、レーザ光源２０、３０によって発生させられたレーザ光を光記録媒体に照射する対物レンズ４０と、対物レンズ４０をトラッキング方向やフォーカシング方向に駆動するレンズ駆動機構５０と、光記録媒体で反射したレーザ光を受光するための図示していない受光素子と、レーザ光源２０、３０から出射されたレーザ光を対物レンズ４０まで到達させるための図示していない光学素子と、光記録媒体で反射して対物レンズ４０に入射したレーザ光を受光素子まで到達させるための図示していない光学素子と、レーザ光源２０、３０、レンズ駆動機構５０、受光素子などの電子部品と電気的に接続されたフレキシブル配線基板６０と、光ヘッド装置１０をトラッキング方向に移動させるための軸受７１、７２を有してレーザ光源２０、３０、レンズ駆動機構５０、受光素子、フレキシブル配線基板６０を搭載したフレーム７０とを備えている。
【００２５】
図２及び図３に示すように、レーザ光源２０は、レーザ光を出射する出射部２１と、出射部２１を支える円筒形のステム２２と、ステム２２に対して出射部２１とは反対側に配置されて外部から電力が供給される３本の端子２３とを有しており、キャンタイプのレーザ光源である。レーザ光源２０の光軸は、ステム２２の中心軸を通っている。
【００２６】
ステム２２は、レーザ光源２０の光軸方向とは直交する径方向の外周２２ｆ上に溝２２ａ、２２ｂ、２２ｃが形成されている。
【００２７】
図２〜図５に示すように、フレーム７０は、レーザ光源２０を保持する内径側が環状の内径側環状突起としての環状突起８０と、環状突起８０の内径側に配置されて環状突起８０の矢印８０ａで示す突出方向とは反対方向である矢印８０ｂで示す方向側からレーザ光源２０のステム２２に接触する接触部９１と、環状突起８０及び接触部９１の径方向の間に周方向に連続して形成されて環状突起８０の内径側へのレーザ光源２０の圧入時に環状突起８０の内壁の摩耗によって発生する摩耗粉を溜めるＵ字状の溝である摩耗粉溜め９２とを有している。また、環状突起８０が突出しているフレーム７０の壁のうち環状突起８０の外周側の壁７０ａと、環状突起８０の内周側の壁７０ｂとは、矢印８０ａで示す方向において同一の高さである。壁７０ｂは、摩耗粉溜め９２の底面を構成している。
【００２８】
環状突起８０は、周方向へ均等な角度でスリット８１によって４つの弧状部分８２に分割されている。
【００２９】
スリット８１の底部は、磨耗粉溜め９２の底部より低く形成されている。なお、磨耗粉溜め９２の底部は、弧状部分８２の外周側の突出位置の高さと同一に形成されているため、弧状部分８２にレーザ光源２０を保持させるに際し、レーザ光源２０を適正位置に保持不能に陥った場合であっても、スリット８１の底部を利用することにより、治具を進入させる隙間を充分確保することができる。故に、治具をレーザ光源２０のステム２２の出射側の端面２２ｄに当接させ、レーザ光源２０を弧状部分８２から取り除くことができるので、再度レーザ光源２０を圧入させることにより、レーザ光源２０を適正位置に保持させることが可能になる。
【００３０】
弧状部分８２は、レーザ光源２０のステム２２の光軸方向の高さの範囲で、レーザ光源２０のステム２２が圧入される圧入部８３と、レーザ光源２０のステム２２を弧状部分８２に接着固定する接着剤が充填される切り欠き部８４とを環状突起８０の内径側に有している。また、弧状部分８２は、固まる前の接着剤を溜める接着剤溜め８５を有している。なお、圧入部８３と、切り欠き部８４とは、レーザ光源２０の光軸方向に配設されている。
【００３１】
切り欠き部８４は、環状突起８０の周方向における弧状部分８２の全長にわたって配置されている。また、切り欠き部８４は、圧入部８３より環状突起８０の矢印８０ａで示す突出方向側に配置されている。
【００３２】
弧状部分８２は、その先端がレーザ光源２０のステム２２の出射側の面２２ｄと反対側の面２２ｅより突出形成され、その突出部８２ａに接着剤溜め８５が形成されている。この接着剤溜め８５は、弧状部分８２の周方向における中央に配置され、矢印８０ａで示す環状突起８０の突出方向と、環状突起８０の内周方向とに開口しており、切り欠き部８４に連通している。
【００３３】
次に、フレーム７０へのレーザ光源２０の取り付けについて説明する。
【００３４】
まず、環状突起８０の矢印８０ａで示す突出方向側からレーザ光源２０が環状突起８０の内径側に挿入されると、レーザ光源２０のステム２２は、環状突起８０の圧入部８３に圧入されながらフレーム７０の接触部９１に向かって進み、接触部９１に接触して停止する。
【００３５】
なお、環状突起８０の内径側へのレーザ光源２０の圧入時に、レーザ光源２０のステム２２と、環状突起８０の圧入部８３との擦れによって摩耗粉が発生するが、発生した摩耗粉は、フレーム７０の摩耗粉溜め９２に溜められる。
【００３６】
なお、接着剤溜め８５は、弧状部分８２の周方向における中央に配置されているので、切り欠き部８４と、レーザ光源２０のステム２２との間に全域にわたって容易に接着剤を流入させることができる。
【００３７】
即ち、接着剤溜め８５が弧状部分８２の一方の端部に形成されている場合、他方の端部まで接着剤を流入させなければならず、接着剤の流入距離が長くなるため、接着剤を切り欠き部８４とステム２２との間に全域にわたって容易に流入させることが困難であるが、接着剤ため８５を、弧状部分８２の周方向における中央に配置させることにより、接着剤の流入距離が短くなるため、接着剤を切り欠き部８４とステム２２との間に全域にわたって容易に流入させることができる。
【００３８】
次いで、フレーム７０の接着剤溜め８５に接着剤が塗布されると、接着剤溜め８５に溜められた接着剤は、接着剤溜め８５から切り欠き部８４に流入して、切り欠き部８４と、レーザ光源２０のステム２２との間に充填される。
【００３９】
そして、接着剤が固まると、レーザ光源２０のステム２２と、フレーム７０の切り欠き部８４とは、接着剤によって接着固定される。
【００４０】
以上に説明したように、光ヘッド装置１０は、弧状部分８２の圧入部８３に圧入されたレーザ光源２０が弧状部分８２の切り欠き部８４に接着剤によって接着固定されるので、従来より長期にわたってレーザ光源２０を安定して保持することができる。
【００４１】
また、光ヘッド装置１０は、切り欠き部８４が圧入部８３より環状突起８０の矢印８０ａで示す突出方向側に配置されているので、環状突起８０の矢印８０ａで示す突出方向側から接着剤を塗布することができる。したがって、光ヘッド装置１０は、環状突起８０の矢印８０ａで示す突出方向とは反対方向である矢印８０ｂで示す方向側にレーザ光源２０に近接して光学素子などが配置されている状態であっても容易に接着剤を塗布することができる。
【００４２】
また、光ヘッド装置１０は、切り欠き部８４に充填される接着剤が接着剤溜め８５に塗布されるので、切り欠き部８４に接着剤が直接塗布される場合と比較して、複数の製品間における接着剤の塗布状態の均一性を向上することができる。
【００４３】
また、光ヘッド装置１０は、弧状部分８２の接着剤溜め８５がレーザ光源２０のステム２２より環状突起８０の矢印８０ａで示す突出方向に突出しているので、接着剤溜め８５がステム２２より環状突起８０の矢印８０ａで示す突出方向に突出していない構成と比較して、環状突起８０の矢印８０ａで示す突出方向における圧入部８３及び切り欠き部８４の距離を長くすることができる。したがって、光ヘッド装置１０は、接着剤溜め８５がステム２２より環状突起８０の矢印８０ａで示す突出方向に突出していない構成と比較して、環状突起８０によるレーザ光源２０の保持力を向上することができる。
【００４４】
また、光ヘッド装置１０は、環状突起８０が複数の弧状部分８２に分割されているので、レーザ光源２０が環状突起８０の内径側に圧入されても複数の弧状部分８２が変形する。したがって、光ヘッド装置１０は、複数の弧状部分８２がレーザ光源２０を必要以上に圧迫することを防止することができる。
【００４５】
また、光ヘッド装置１０は、環状突起８０が周方向へ均等な角度で複数の弧状部分８２に分割されているので、複数の弧状部分８２からレーザ光源２０に加わる圧力が環状突起８０の中心軸上で釣り合う。したがって、光ヘッド装置１０は、レーザ光源２０が環状突起８０の内径側に圧入されるだけで、レーザ光源２０の光軸が環状突起８０の中心軸上を通るように自動的に調整される。
【００４６】
また、光ヘッド装置１０は、複数の弧状部分８２がレーザ光源２０のステム２２の溝２２ａ、２２ｂ、２２ｃを避けてステム２２の径方向の外周２２ｆに接触しているので、複数の弧状部分８２がステム２２の溝２２ａ、２２ｂ、２２ｃを避けずにステム２２の径方向の外周２２ｆに接触する構成と比較して、複数の弧状部分８２によってレーザ光源２０を均等に保持することができる。したがって、光ヘッド装置１０は、複数の弧状部分８２によってレーザ光源２０が均等に保持されないことによって起こるレーザ光源２０の光軸のずれを減らすことができる。
【００４７】
また、光ヘッド装置１０は、接着剤溜め８５が環状突起８０の周方向における弧状部分８２の中央に配置されているので、接着剤溜め８５が環状突起８０の周方向における弧状部分８２の中央からずれて配置されている構成と比較して、切り欠き部８４における接着剤の塗布状態の均一性を向上することができる。したがって、光ヘッド装置１０は、複数の弧状部分８２によってレーザ光源２０を均等に保持することができるので、複数の弧状部分８２によってレーザ光源２０が均等に保持されないことによって起こるレーザ光源２０の光軸のずれを減らすことができる。
【００４８】
また、光ヘッド装置１０は、レーザ光源２０の光軸方向における弧状部分８２の切り欠き部８４の位置がレーザ光源２０の光軸方向におけるレーザ光源２０のステム２２の範囲内にあるので、フレーム７０の弧状部分８２の切り欠き部８４と、レーザ光源２０のステム２２の径方向の外周２２ｆとの間に接着剤が入るので、レーザ光源２０の光軸方向におけるステム２２の端面２２ｅに接着剤がはみ出すことを抑えることができる。
【００４９】
また、光ヘッド装置１０は、レーザ光源２０の光軸方向における位置がレーザ光源２０の光軸方向における弧状部分８２の範囲内にある接触部９１にレーザ光源２０のステム２２が接触しており、弾性のある弧状部分８２のみでフレーム７０がステム２２の径方向の外周２２ｆに接触するので、ステム２２の径方向の外周２２ｆにフレーム７０が弧状部分８２以外の箇所でも接触している構成と比較して、ステム２２の圧入作業が容易になる。しかも、ステム２２の変形を抑制することができるので、レーザ光源２０の発光位置も安定する。
【００５０】
また、光ヘッド装置１０は、環状突起８０の矢印８０ａで示す突出方向とは反対方向である矢印８０ｂで示す方向側からレーザ光源２０に接触する接触部９１を環状突起８０の内径側に有しているので、接触部９１を有していない構成と比較して、環状突起８０に対してレーザ光源２０が傾くことを抑えることができる。したがって、光ヘッド装置１０は、複数の弧状部分８２によってレーザ光源２０を均等に保持することができるので、複数の弧状部分８２によってレーザ光源２０が均等に保持されないことによって起こるレーザ光源２０の光軸のずれを減らすことができる。
【００５１】
本形態では、環状突起８０が周方向に４つに均等に分割されているが、必ずしも４つに均等分割されている必要はない。すなわち、２つ以上に分割されていれば良いし、不均一に分割されていても良い。
【００５２】
本形態では、切り欠き部８４が圧入部８３より環状突起８０の突出方向に配設されているが、圧入部８３が、切り欠き部８４より環状突起８０の突出方向に配設されていても良い。
【図面の簡単な説明】
【００５３】
【図１】（ａ）本発明の一実施の形態に係る光ヘッド装置の上面図  （ｂ）図１（ａ）に示す光ヘッド装置の側面図
【図２】図１に示す光ヘッド装置の斜視断面図であって、底面側から見た環状突起の近傍の図
【図３】図１に示す光ヘッド装置の底面断面図であって、環状突起の近傍の図
【図４】図１に示す光ヘッド装置の斜視図であって、底面側から見た環状突起の近傍の図
【図５】図１に示す光ヘッド装置のフレームの斜視図であって、底面側から見た環状突起の近傍の図
【符号の説明】
【００５４】
１０  光ヘッド装置
２０  レーザ光源
２２  ステム
２２ｆ  外周
７０  フレーム
８０  環状突起（内径側環状突起）
８２  弧状部分
８３  圧入部
８４  切り欠き部
８５  接着剤溜め
９１  接触部
【図１】
2008192198.tif 000003
【図２】
2008192198.tif 000004
【図３】
2008192198.tif 000005
【図４】
2008192198.tif 000006
【図５】
2008192198.tif 000007